(57)【要約】【課題】エンドキャップとモール本体部との取り付けガタツキを効果的に防止でき、組付け作業性にも優れる自動車用モールの提供を目的とする。【解決手段】モール本体部の端末にエンドキャップを装着した自動車用モールであって、モール本体部は、表面部の幅方向両側から裏面側に向けて折り返した折り返し部を有し、折り返し部は、端末から所定の距離（Ｌ１）に被係止部が形成されるように切欠部を有し、エンドキャップはモール本体部の端末に位置する意匠部と、当該意匠部から突設した挿入部を有し、挿入部は、モール本体部の端末に当接する意匠部裏面から所定の距離（Ｌ２）に、係止部が形成されるようにフック部を有し、フック部は、エンドキャップの挿入方向に沿って弾性伸縮する弾性伸縮部に連結してあり、弾性伸縮部が収縮した状態での距離Ｌ２が前記Ｌ１よりも短く、組付け状態にてモール本体部の被係止部にエンドキャップの係止部が係止していることを特徴とする。【選択図】  図１
2010000817.tif 000002
【特許請求の範囲】
【請求項１】
モール本体部の端末にエンドキャップを装着した自動車用モールであって、
モール本体部は、表面部の幅方向両側から裏面側に向けて折り返した折り返し部を有し、
折り返し部は、端末から所定の距離（Ｌ１）に被係止部が形成されるように切欠部を有し、
エンドキャップはモール本体部の端末に位置する意匠部と、当該意匠部から突設した挿入部を有し、
挿入部は、モール本体部の端末に当接する意匠部裏面から所定の距離（Ｌ２）に、係止部が形成されるようにフック部を有し、フック部は、エンドキャップの挿入方向に沿って弾性伸縮する弾性伸縮部に連結してあり、弾性伸縮部が収縮した状態での距離Ｌ２が前記Ｌ１よりも短く、組付け状態にてモール本体部の被係止部にエンドキャップの係止部が係止していることを特徴とする自動車用モール。
【請求項２】
弾性伸縮部は、モール本体部の長手方向に弾性伸縮する山折り部を形成してあることを特徴とする請求項１記載の自動車用モール。
【請求項３】
弾性伸縮部は、モール本体部の裏面側に頂部が形成されるように、山折り部を有し、当該山折り部の頂部を押圧すると弾性伸縮部が伸長するものであることを特徴とする請求項２記載の自動車用モール。
【発明の詳細な説明】
【技術分野】
【０００１】
本発明は、自動車に備えるルーフモール等のモールに関し、特にモールの端末にエンドキャップを装着するための端末構造に係る。
【背景技術】
【０００２】
自動車のルーフモールやサイドモール等には、端末の意匠性向上及び防錆目的でエンドキャップを取り付けている。
モールの端末にエンドキャップを取り付ける方法として、モールは、一般的にロールフォーミング等で連続的に成形され、表面部の裏側に折り返し部を有していることから、この折り返し部をエンドキャップにカシメて接合する方法があるが、折り返し部が短いと採用出来ず、また、モールが薄い場合には意匠面に歪みが生じる恐れがあった。
また、エンドキャップ挿入部をモール端末に接着固定する方法があるが、接着剤がモールやエンドキャップの意匠部に付着して、モール自体が不良品になる恐れがある。
特開平９−９９７８７号公報には、エンドキャップに撓み変形可能な差し込み部を形成した技術を開示するが、その目的はモールの曲がりや取り付け角度のバラツキを吸収するものであり、エンドキャップの取り付け深さのバラツキを吸収できるものではない。
また、上記エンドキャップの差し込み部は、モールの曲がり等を吸収するものであるから上下、左右にも撓むものであり、挿入組付け時に差込部が安定しない問題もある。
【０００３】
【特許文献１】特開平９−９９７８７号公報
【発明の開示】
【発明が解決しようとする課題】
【０００４】
本発明は上記技術的課題に鑑みて、エンドキャップとモール本体部との取り付けガタツキを効果的に防止でき、組付け作業性にも優れる自動車用モールの提供を目的とする。
【課題を解決するための手段】
【０００５】
本発明に係る自動車用モールは、モール本体部の端末にエンドキャップを装着した自動車用モールであって、モール本体部は、表面部の幅方向両側から裏面側に向けて折り返した折り返し部を有し、折り返し部は、端末から所定の距離（Ｌ１）に被係止部が形成されるように切欠部を有し、エンドキャップはモール本体部の端末に位置する意匠部と、当該意匠部から突設した挿入部を有し、挿入部は、モール本体部の端末に当接する意匠部裏面から所定の距離（Ｌ２）に、係止部が形成されるようにフック部を有し、フック部は、エンドキャップの挿入方向に沿って弾性伸縮する弾性伸縮部に連結してあり、弾性伸縮部が収縮した状態での距離Ｌ２が前記Ｌ１よりも短く、組付け状態にてモール本体部の被係止部にエンドキャップの係止部が係止していることを特徴とする。
【０００６】
ここでエンドキャップの挿入部は、モール本体部の端末開口部から挿入する部分をいい、フック部は、モール本体部の端末に挿入すると、フック部が折り返し部の縁部に沿って摺動する。
本発明では、モール本体部の折り返し部に設けた被係止部の端末からの距離Ｌ１よりもエンドキャップに設けた係止部の意匠部裏面（端末当接部）からの距離Ｌ２が短いのでエンドキャップをモール本体部の端末に挿入しただけでは係合しない。
そこで弾性伸縮部を伸長させてフック部を奥側に移動し、フック部が折り返し部に設けた切欠部に位置すると、このフック部が弾性力で幅方向に広がり切欠部側に突出する。
次に弾性伸長させた外力を解除すると、弾性伸縮部の弾性復帰作用でフック部が切欠部に沿って引き戻され、エンドキャップの係止部が折り返し部の被係止部に係止することになる。
意匠部は、モール本体部の端末を塞ぐ形状になっていて、フック部が切欠部に係合した状態ではＬ２よりＬ１の方が長い寸法分だけ弾性伸縮部に収縮力が作用し、モール本体部の端末にエンドキャップの意匠部が引き寄せられている状態になる。
【０００７】
上記弾性伸縮部の形成方法として、モール本体部の長手方向に弾性伸縮する山折り部を形成することが好ましい。
このようにすると山折り部の角度の大小により、モール本体部の長手方向にのみ伸縮するように作用し、挿入部の先端部を引張るようにするだけで組付けできる。
なお、ここで山折り部とはエンドキャップの挿入部にモールの表裏方向の折り曲げ部を形成したことをいい、山折り部の反対側には谷折り部が形成される。
【０００８】
弾性伸縮部としてモール本体部の裏面側に頂部が形成されるように、山折り部を設けた場合には当該山折り部の頂部を押圧するだけで弾性伸縮部が伸長する。
【０００９】
このようにするとエンドキャップの挿入部をモール本体部の端末に挿入し、弾性伸縮部に設けた頂部をモール本体部の裏面から押圧するだけで組付けが可能になり、組付け作業の自動化も容易である。
【発明の効果】
【００１０】
本発明に係る自動車用モールにおいては、エンドキャップ意匠部をモール本体端末に弾性付勢して押し付けた状態で装着されるので、モール本体部の切欠き位置の加工バラツキやエンドキャップの成形寸法バラツキを効果的に吸収し、エンドキャップはガタツキなく、常に安定してモール本体部に装着される。
モール本体部とエンドキャップとの係合は、モール本体部の切欠部にエンドキャップ挿入部のフック部を弾性付勢力で突出させて行う機械的な係合であるため、抜け防止性に優れ、従来技術のように接着剤付着などの不良品の恐れがなく、また、切欠部を形成出来れば折り返し部の短いモール本体部にも適用出来る。
【００１１】
請求項３記載に係る発明にあっては、弾性伸縮部に形成した頂部を押圧するだけでエンドキャップをモール本体部に組付けできるので組付作業が容易で自動化も可能である。
【発明を実施するための最良の形態】
【００１２】
図１は本発明に係る自動車用モール１０の説明図を示し、図１（ａ）はモール本体部２０にエンドキャップ３０を装着する前の状態を表面（意匠面）２０ａ側から見た斜視図を示し、図１（ｂ）はモール本体部２０にエンドキャップ３０を装着した状態を示す。
モール本体部２０は、細長の鋼板製芯材の幅方向両側を折り返し部２４で折り返した断面略Ｃ形状となっていて、鋼板製芯材表面はリップ２２を有する軟質樹脂部で被覆してある。
モール本体部２０は端末部付近のみを描いてある。
折り返し部２４のモール本体端末２０ｂ付近には、折り返し部間の開口部２６から折り返し片の縁部をコ字状に凹ませた切欠部２５を設けてある。
エンドキャップ３０は、意匠部４０と、意匠部４０から突出した挿入部５０とを有している。
意匠部４０は挿入部を端末開口部２３に挿入することでモール本体端末２０ｂに突当たり、端末開口部２３を覆う係止キャップ形状となっている。
挿入部５０は、モール本体部の端末開口部に位置する塞ぎ部５６と、塞ぎ部５６に連結した弾性伸縮部５５と、弾性伸縮部５５の挿入方向前側に連結してある挿入先端部５１と、挿入先端部５１の幅方向両側に連結してあるフック部５２とを有している。
フック部５２は、挿入先端部５１の幅方向両側から撓み片５３を意匠部４０側に延出して設け、幅方向外向きに突出する係止フック５４を撓み片５３の先に設けてある。
係止フック５４は、挿入方向前側に案内部５４ａを設け、挿入方向後ろ側に係止部５４ｂを設けた鈎形状となっている。
フック部５２は、挿入部５０を端末開口部２３から折り返し部２４の内側のモール本体内空間部２１に挿入すると案内部５４ａが折り返し部２４の縁部に摺接することで撓み片５３が撓みつつ内側に後退する。
エンドキャップをモール本体の端末に挿入した後に弾性伸縮部５５を外力で伸長させて係止フック５４を切欠部２５の位置まで移動する。
係止フック５４が切欠部に位置すると、撓み片５３の弾性復元力で係止部５４ｂが切欠部２５の凹形状内に突出する。
次に外力を解除すると弾性伸縮部５５が収縮する。
【００１３】
エンドキャップ３０をモール本体部２０に取り付ける手順を図を用いて説明する。
図２は折り返し部２４の側（モールの裏面）から斜視した説明図を示し、図３は折り返し部２４の側から平面視した説明図を示し、図４はＡ−Ａ線断面に対応する説明図を示し、図２、図３、図４の（ａ）、（ｂ）、（ｃ）はそれぞれ対応して描いてある。
図２（ａ）、図４（ａ）に示すように弾性伸縮部５５は、モール本体部２０の幅方向視で断面略山形折曲げ形状部を有し、挿入先端部５１及び塞ぎ部５６との連結部５５ｃから両側の裾部５５ｂにつながり、開口部２６に向かうようにせり上がり、頂部５５ａで山折り状に連結されている。
弾性伸縮部５５は、挿入部５０を端末開口部２３からモール本体部２０に挿入した状態で、山形頂部５５ａ付近をモール本体裏面２０ｃに向けて押圧するなどして、略山形の裾部５５ｂ同士の間隔を拡げる弾性変形をさせることで挿入方向に伸長できる。
図３（ｂ）に示すように、モール本体部２０の端末開口部２３に、エンドキャップ３０の挿入部５０を挿入して、意匠部４０をモール本体端末２０ｂに突き合わせた状態では、エンドキャップ３０のフック部５２は、端末開口部２３への挿入時に案内部５４ａが折り返し部２４の縁部２４ａに摺接して、撓み片５３を幅方向内側に撓ませながら係止フック５４が内向きに後退する。
エンドキャップ３０の挿入部５０を端末開口部２３に挿入した状態では、折り返し部に形成した切欠部の被係止部２５ａから端末までの距離Ｌ１の方がエンドキャップに形成したフック部の意匠部裏面からの係止部５４ｂまでの距離Ｌ２よりも長く設定してあり、係止部５４ｂが被係止部２５ａに係合しない。
次に、弾性伸縮部５５を押圧して伸長し、挿入先端部５１及びフック部５２を意匠部４０から遠ざけるようにし、押圧を解除することで収縮し、挿入先端部５１及びフック部５２を意匠部４０側に引き戻した際に係合する。
即ち、図３（ｃ）に示すように係止フック５４が切欠部２５に位置し、折り返し部２４の縁部２４ａから外れることで、撓み片５３の弾性復元力でこの係止フックが切欠部２５の凹形状内に突出する。
弾性伸縮部５５の伸長操作は、フック部５２を挿入方向前方に外力で移動するのであればよく、例えば挿入先端部５１を引張るように移動させてもよい。
そして、弾性伸縮部５５を伸長するために付加した外力を解除すると、図３（ｄ）に示すように弾性伸縮部５５は弾性復元力で収縮して、係止フック５４を意匠部４０の側に引き戻して係止部５４ｂを切欠部２５の意匠部側の被係止部２５ａに係止するが（Ｌ１−Ｌ２）の分だけ伸長した状態になっているので弾性付勢された状態で係合する。
これにより、エンドキャップ３０は意匠部４０をモール本体端末２０ｂに引き寄せた状態で装着される。
【図面の簡単な説明】
【００１４】
【図１】本発明に係る自動車用モールの説明図を示す。
【図２】エンドキャップをモール本体部に装着する状態を折り返し部の側から斜視した説明図を示す。
【図３】エンドキャップをモール本体部に装着する状態を折り返し部の側から平面視した説明図を示す。
【図４】エンドキャップをモール本体部に装着する状態を縦方向断面で描いた説明図を示す。
【符号の説明】
【００１５】
１０    自動車用モール
２０    モール本体部
２０ａ  意匠面（表面）
２０ｂ  モール本体端末
２０ｃ  モール本体裏面
２１    モール本体内空間部
２２    リップ
２３    端末開口部    
２４    折り返し部
２４ａ  折り返し部の縁部
２５    切欠部
２５ａ  被係止部
２６    折り返し部間開口部
３０    エンドキャップ
４０    意匠部
５０    挿入部
５１    挿入先端部
５２    幅フック部
５３    撓み片
５４    係止フック
５４ａ  案内部
５４ｂ  係止部
５５    弾性伸縮部
５５ａ  山折り部の頂部
５５ｂ  山折り部の裾部
【図１】
2010000817.tif 000003
【図２】
2010000817.tif 000004
【図３】
2010000817.tif 000005
【図４】
2010000817.tif 000006